(57)【要約】【課題】座面の高さや広さを変更でき、かつ、足乗せ台を取り外し可能に付設できるようにして、１個の椅子で大人用と小人用に兼用できるようにする。【解決手段】前脚７，８と後脚４，５と、前記前脚側と後脚側との間に架設された座板支承枠１３，１４と、該座板支承枠１３，１４上に取り外し可能に載置固着する座板２１とを有する。前記座板２１を、前後に２分割して前側座板構成板２３と後側座板構成板２２とで形成する。後側座板構成板２２を外した場合に、前側座板構成板２３を後側へ移動して取り付けることができるようにする。取り外した後側構成板２２を前脚７，８間に取り付けて足乗せ台とする。【選択図】        図１
2005137488.tif 000002
【特許請求の範囲】
【請求項１】
座板を前後に２分割して前側座板構成板と後側座板構成板とで形成し、そのいずれか一方を取り外し可能に設けて、これを前脚に足乗せ台として取り付けできるようにしたことを特徴とする椅子。
【請求項２】
座板を前後に２分割して前側座板構成板と後側座板構成板とで形成し、その後側座板構成板を取り外し可能に設けて、これを前脚に足乗せ台として取り付けできるようにしたことを特徴とする椅子。
【請求項３】
前脚に足乗せ台を取り付ける取付手段を、上下方向に複数個設けた請求項１又は２記載の椅子。
【請求項４】
足乗せ台として使用する座板構成板の前後方向の幅を、他方の座板構成板の前後方向の幅より短くした請求項１又は２又は３記載の椅子。
【請求項５】
前脚と後脚と、前記前脚側と後脚側との間に架設された座板支承枠と、該座板支承枠上に取り外し可能に載置固着する座板とを有し、前記座板を、前後に２分割して前側座板構成板と後側座板構成板とで形成し、更に、後側座板構成板を外した場合に、前側座板構成板を後側へ移動して取り付けることができるようにしたことを特徴とする椅子。
【請求項６】
前記後側座板構成板を、前記座板支承枠から取り外して前記前脚に足乗せ台として取り付けできるようにした請求項５記載の椅子。
【請求項７】
前記前脚に、前記後側座板構成板の取付手段を、上下方向に複数個設けた請求項６記載の椅子。
【請求項８】
前記座板支承枠と前記座板間に高さ調整用部材を取り外し可能に介在するようにした請求項５乃至７のいずれかに記載の椅子。
【請求項９】
前記座板支承枠部に収納室を形成した請求項５乃至８のいずれかに記載の椅子。
【請求項１０】
後側座板構成板の前後方向の幅を、前側座板構成板の前後方向の幅よりも短くした請求項５乃至９のいずれかに記載の椅子。
【発明の詳細な説明】
【技術分野】
【０００１】
本発明は椅子に関する。
【背景技術】
【０００２】
食卓などのテーブルや学習デスクに対して使用される椅子においては、大人用の椅子では、座面の前後方向の長さを長くし、かつ、高さを低くする必要があるとともに足乗せ台は不要であるが、小人の場合には、座面の前後方向の長さを短くし、かつ、高さを高くし、更に、足乗せ台が必要な場合がある。
従来の椅子においては、大人専用の椅子や小人専用の椅子に形成されているため、１個の椅子で前記のような大人用の椅子と小人用の椅子を兼用することはできなかった。
【発明の開示】
【発明が解決しようとする課題】
【０００３】
本発明は、１個の椅子で、前記のような大人用の椅子と小人用の椅子を兼用できる椅子を提供することを目的とするものである。
【課題を解決するための手段】
【０００４】
前記の課題を解決するために、請求項１記載の発明は、座板を前後に２分割して前側座板構成板と後側座板構成板とで形成し、そのいずれか一方を取り外し可能に設けて、これを前脚に足乗せ台として取り付けできるようにしたことを特徴とするものである。
【０００５】
請求項２記載の発明は、座板を前後に２分割して前側座板構成板と後側座板構成板とで形成し、その後側座板構成板を取り外し可能に設けて、これを前脚に足乗せ台として取り付けできるようにしたことを特徴とするものである。
【０００６】
請求項３記載の発明は、請求項１又は２記載の発明において、前脚に足乗せ台を取り付ける取付手段を、上下方向に複数個設けたものである。
【０００７】
請求項４記載の発明は、請求項１又は２又は３記載の発明において、足乗せ台として使用する座板構成板の前後方向の幅を、他方の座板構成板の前後方向の幅より短くしたものである。
【０００８】
請求項５記載の発明は、前脚と後脚と、前記前脚側と後脚側との間に架設された座板支承枠と、該座板支承枠上に取り外し可能に載置固着する座板とを有し、前記座板を、前後に２分割して前側座板構成板と後側座板構成板とで形成し、更に、後側座板構成板を外した場合に、前側座板構成板を後側へ移動して取り付けることができるようにしたことを特徴とするものである。
【０００９】
請求項６記載の発明は、請求項５記載の発明において、前記後側座板構成板を、前記座板支承枠から取り外して前記前脚に足乗せ台として取り付けできるようにしたものである。
【００１０】
請求項７記載の発明は、請求項６記載の発明において、前記前脚に、前記後側座板構成板の取付手段を、上下方向に複数個設けたものである。
【００１１】
請求項８記載の発明は、請求項５乃至７のいずれかに記載の発明において、前記座板支承枠と前記座板間に高さ調整用部材を取り外し可能に介在するようにしたものである。
【００１２】
請求項９記載の発明は、請求項５乃至８のいずれかに記載の発明において、前記座板支承枠部に収納室を形成したものである。
【００１３】
請求項１０記載の発明は、請求項５乃至９のいずれかに記載の発明において、後側座板構成板の前後方向の幅を、前側座板構成板の前後方向の幅よりも短くしたものである。
【発明の効果】
【００１４】
請求項１記載の発明によれば、座板を、前側座板構成板と後側座板構成板で形成し、座面を広くし、足乗せ台を用いないことにより大人用に適した椅子にでき、また、前側座板構成板と後側座板構成板のいずれか一方を外して足乗せ台に使用することにより、小人用に適した椅子にすることができるとともに、外した座板構成板の収納場所が不要になる。
したがって、１個の椅子で大人用と小人用の椅子に兼用できる。
【００１５】
請求項２記載の発明によれば、後側座板構成板を足乗せ台として使用することにより、前記と同様の効果を発揮できる。
請求項３記載の発明によれば、更に、前記の足乗せ台を使用者に適した高さに設定することができる。
請求項４記載の発明においても前記と同様の効果を発揮できる。
【００１６】
請求項５記載の発明によれば、後側座板構成板と前側座板構成板を座板支承枠上に取り付けることにより座面を広くして大人用に適した椅子にすることができる。
また、後側座板構成板を外して前側座板構成板を後側へ移動して取り付けることにより、座面の前後方向の距離を短くし、かつ、座面の前端がテーブルの天板の端面に近づく状態にし、小人用に適した椅子にすることができる。
したがって、１個の椅子で大人用と小人用の椅子に兼用できる。
【００１７】
請求項６記載の発明によれば、前記の小人用の椅子にした場合、取り外された後側座板構成板を足乗せ台に用い、一層小人用に適した椅子にすることができるとともに、外した後側座板構成板の収納場所が不要になる。
【００１８】
請求項７記載の発明によれば、更に、前記の足乗せ台を使用者に適した高さに設定することができる。
【００１９】
請求項８記載の発明によれば、更に、高さ調整用部材を座板支承枠と座板との間に介在することにより、座面を高くして小人用に適した椅子にすることができる。
【００２０】
請求項９記載の発明によれば、更に、高さ調整用部材を使用しない場合に、これを収納室内に収納できる上に、この収納状態が座板で被覆されて外から見えず、美観を損なうことなく収納できる。
【００２１】
請求項１０記載の発明においても前記請求項５乃至９記載の発明と同様の効果を発揮できる。
【発明を実施するための最良の形態】
【００２２】
本発明を実施するための最良の形態を図に示す実施例に基づいて説明する。
図１は座面の前後方向の長さを長くし、足乗せ台を使用しない、すなわち足乗せ台を付設しない第１の形態の椅子の斜視図、図２は図１の座板を除いた枠部の斜視図である。
【００２３】
先ず、図２に示す枠部において、両側に配置した台枠１，２の後部は後枠３で連結されている。後枠３の上面からは後脚４，５が立設されており、該両後脚４，５の上部は背枠として兼用され、その上部に背板６が固設されている。
【００２４】
前記両台枠１，２の前側の上面には左右の前脚７，８が立設されており、該両前脚７，８の上部は前枠９により連結されている。前記両前脚７，８の上下方向の中間部には、所定の高さの位置において、足乗せ台の取付手段であるボルト穴１０，１１が左右方向に貫通して形成されている。該ボルト穴１０，１１は相互に同一高さに形成されている。このボルト穴は両前脚７，８に１個ずつでもよく、上下方向に複数個設けてもよい。図の実施例では両脚７，８毎に２個のボルト穴１０，１０ａ，１１，１１ａを上下に高さを変えて形成した。また前記前脚７，８の内面には前記ボルト穴１０，１０ａ，１１，１１ａの周りに位置して、係止溝１２，１２ａが前後方向に形成されている。
【００２５】
前記前枠９と前記後脚４，５との間には２本の座板支承枠１３，１４が、椅子の前後方向に、かつ相互に所定の間隔を有して略平行に配置され、その前端が前枠９に固着され、後端が後脚４，５に固着されて架設されている。なお、この座板支承枠１３，１４の架設は、前記の設置構造に限るものではなく、前脚側と後脚側間に適宜構造により架設すればよい。
【００２６】
前記両座板支承枠１３，１４の後部間は、後枠１５で連結され、これら両座板支承枠１３，１４と後枠１５と前記前枠９とで囲まれる空間の底部には底板１６が固設されており、前記空間が、上方を開口した収納室１７になっている。
【００２７】
前記２本の座板支承枠１３，１４には、図３に示すように、後部に位置して取付手段である２個のボルト穴１８，１９，１８ａ，１９ａが上下に貫通して形成されている。更に、２本の座板支承枠１３，１４の前部に位置してそれぞれ取付手段である１個のボルト穴２０，２０ａが上下に貫通して形成されている。
【００２８】
次に座板について図４及び図５により説明する。
座板２１は後側座板構成板２２と前側座板構成板２３に、前後に２分割して構成されており、この両座板構成板２２，２３を平面上で接続することにより、大人用に適する通常の面積（広さ）の座面が形成されるようになっている。後側座板構成板２２の前後方向の幅Ｌ２は、前側座板構成板２３の前後方向の幅よりも短く形成されており、この後側座板構成板２２を後述する足乗せ台として使用できるような細い幅に形成されている。更に、後側座板構成板２２の左右方向の長さＬ３は、その両端が前脚７，８に形成した係止溝１２，１２又は１２ａ，１２ａに嵌合して両脚７，８間に介在できる長さに形成されている。更に、該後側座板構成板２２の両側端面には、図６に示すように、ねじ穴２４が形成されている。更に、該後側座板構成板２２は、図４に示すように、その前端面２２ａと後端面２２ｂが湾曲して形成されている。
【００２９】
後側座板構成板２２の裏面には図５に示すように、取付手段である２個のねじ穴２５，２６が、左右に位置し、かつ該後側座板構成板２２の表面まで貫通することなく設けられている。該ねじ穴２５，２６の左右間の間隔Ｌ４は、前記両座板支承枠１３，１４に形成したボルト穴１８，１８ａ相互、１９，１９ａ相互、２０，２０ａ相互の間隔Ｌ５と同等に設定されている。更に、該ねじ穴２５，２６の前後方向の位置は、後側座板構成板２２の後端面２２ｂを前記後脚（背枠）４，５に近接して配置した場合、ねじ穴２５，２６が前記両座板支承板１３，１４に形成した後側のボルト穴１８，１８ａに合致するように設定されている。
【００３０】
前側座板構成板２３の前端面２３ａは前方へ湾曲し、後端面２３ｂは、前記後側座板構成板２２の前端面２２ａに沿った湾曲に形成されている。更に、該前側座板構成板２３の裏面には、前記後側座板構成板２２におけるねじ穴２５と２６と同じ左右方向の間隔Ｌ４で、かつ、前後方向に所定の間隔、すなわち、後述するように前側座板構成板２３の取付位置を変更できる間隔を有して取付手段であるねじ穴２７〜３１、２７ａ〜３１ａが形成されている。該ねじ穴２７〜３１、２７ａ〜３１ａは前側座板構成板２３の表面までは貫通していない。更に、該前側座板構成板２３の裏面の両側には手掛け用の溝３２，３３が形成されている。
【００３１】
次に、前記前側座板構成板２３の設置高さを高くする高さ調整用部材について図１２により説明する。
前記左側の座板支承枠１３の上面には、前記のボルト穴１８，１９の間に位置してダボ穴３４が形成されている。また、ボルト穴２０の後側に位置してダボ穴３５が形成されている。
【００３２】
前記座板支承枠１３上に載置するように細長く形成された高さ調整用部材３６の下面には、前記２個のダボ穴３４，３５に取脱可能に嵌合できるダボ３７，３８が突設されている。更に、該高さ調整用部材３６には、前記座板支承枠１３に形成したボルト穴１８，２０に合致するボルト穴３９，４０が、上下方向に貫通して形成されている。該高さ調整用部材３６の背丈Ｈ１は所望に設定されている。
【００３３】
更に、前記高さ調整用部材３６の上面には前記のダボ３７，３８と対応する位置にダボ穴４１，４２が形成されている。
前記右側の座板支承枠１４にも前記と同様の高さ調整用部材３６を、前記と同様に載置できるようになっている。
【００３４】
更に、前記高さ調整用部材３６は、図１２に示すように左側用に２個用意され、また、右側用に２個用意され、計４個用意されている。この用意する数は４個に限定せず、必要数である。
【００３５】
次に、前記の部品からなる椅子の変形使用について説明する。
先ず、図１及び図６乃至図８に示す第１の形態について説明する。
この第１の形態は大人用として使用する場合で、後側座板構成板２２を、その後端面２２ｂが後脚（背枠）４，５の前面に近接するようにして座板支承枠１３，１４上に載置し、ボルト穴１８，１８ａとねじ穴２５，２６とを合致させ座板支承枠１３，１４の下側からボルト５０，５０ａをボルト穴１８と１８ａに挿通し、そのボルト５０，５０ａの先部を後側座板構成板２２のねじ穴２５，２６に螺着する。これにより、後側座板構成板２２が、座板支承枠１３，１４の後部上に固定されて付設される。
【００３６】
次に、前側座板構成板２３を、その後端面２３ｂが前記付設した後側座板構成板２２の前端面２２ａに接触或いは近接するように後側座板構成板２２の前側に配置して座板支承枠１３，１４上に載置し、ボルト穴１９，１９ａとねじ穴２７，２７ａを合致させる。そして、座板支承枠１３，１４の下側からボルト５１，５１ａをボルト穴１９，１９ａに挿通し、そのボルト５１，５１ａの先部を前側座板構成板２３のねじ穴２７，２７ａに螺着する。更に、合致した前側座板構成板２３のねじ穴２９，２９ａと座板支承枠１３，１４のボルト穴２０，２０ａに、ボルト５２，５２ａを前記ボルト５１，５１ａと同様に挿通して螺着する。これにより、前側座板構成板２３が、座板支承枠１３，１４の前部上に固定されて付設される。
【００３７】
以上の組み付けにより、図６に示すように、座面Ｓが大人用に適した状態、すなわち後側座板構成板２２と前側座板構成板２３により、座面Ｓの前後方向の長さ、すなわち後脚４，５から座面Ｓの前端２３ａまでの長さがＤ１のように長く、かつ、座面Ｓの高さがＨ２のように低い形態になる。
【００３８】
次に、前記の椅子を小人用に適した第２の形態の椅子に変形する場合について図９乃至図１２により説明する。
前記の組付状態から、先ず、両座板構成板２２，２３を外す。
【００３９】
次に、左右の座板支承板１３，１４上に、それぞれ図１２に示す高さ調整用部材３６を１本ずつ載置する。この載置時には、このダボ３７，３８を座板支承枠１３，１４上に形成したダボ穴３４，３５に嵌めて位置決めを行う。これにより、ボルト穴３９がボルト穴１８に合致し、ボルト穴４０がボルト穴２０に合致する。なお、図１１に示す状態では、図１２に示す第２の高さ調整用部材３６Ａは使用していない。
【００４０】
次に、前記の取り外した前側座板構成板２３を、図１１に示すように、その後端面２３ｂが後脚４，５の前面より少し前に位置するようにして高さ調整用部材３６，３６上に載置し、ねじ穴２７，２７ａを左右のボルト穴３９，３９に合致させ、ねじ穴３０，３０ａを左右のボルト穴４０，４０に合致させる。そして、座板支承枠１３，１４の下側から前記のボルト５１，５１ａの長さＬ６より若干長い長さＬ７のボルト５１´，５１ａ´をボルト穴１８，１８ａ，３９に挿通し、そのボルト５１´，５１ａ´の先部を前側座板構成板２３のねじ穴２７，２７ａに螺着する。更に、長さＬ７のボルト５２´，５２ａ´をボルト穴２０，２０ａ、４０に挿通し、そのボルト５２´，５２ａ´の先部を前側座板構成板２３のねじ穴３０，３０ａに螺着する。これにより、前側座板構成板２３が高さ調整用部材３６を介在して座板支承枠１３，１４上に固定されて付設される。
【００４１】
以上の組み付けにより、図１１に示すように、前記図６の第１の形態に比べて、座面Ｓの前後方向の長さ、すなわち、後脚４，５から座面Ｓの前端までの長さＤ２が短く、かつ、座面Ｓの高さＨ３が高くなる。更に、前側座板構成板２３における前端面２３ａの出寸法が短くなる。
【００４２】
また、前記のように外した後側座板構成板２２を、図９及び図１１に示すように、左右の前脚７，８間に取り付けて足乗せ台として使用する。この取り付けに際しては、後側座板構成板２２の両端を、前脚７，８に形成した下段の係止溝１２ａ，１２ａに嵌合するとともに後側座板構成板２２の両側端面に設けたねじ穴２４，２４と前脚７，８に形成したボルト穴１０ａ，１１ａを通じて、前記の後側座板構成板２２の座板としての取り付けに用いたボルト５０，５０ａを利用して取り付ける。
【００４３】
この第２の形態の椅子においては、座面Ｓが高く、かつ前側座板構成板２３の前端２３ａがテーブルやデスクの前端に近く、更に、足乗せ台を有するため、小人用の椅子として適する。
【００４４】
次に、前記図９及び図１１の第２の形態に比べて、座面Ｓを高くし、かつ、足乗せ台を高くする第３の形態について、図１３及び図１４により説明する。
この場合には、図１２に示す高さ調整用部材３６を、前記と同様に左側の座板支承枠１３に載置し、更に該高さ調整用部材３６と同様の他の高さ調整用部材３６Ａを、そのダボ３７をダボ穴４１に嵌合し、ダボ３８をダボ穴４２に嵌合して、２個の高さ調整用部材３６，３６Ａを２段に積み重ねる。右側の座板支承枠１４にも同様に２個の高さ調整用部材３６，３６Ａを２段に積み重ねる。
【００４５】
そして、前側座板構成板２３を、その後端面２３ｂが後脚４，５の前面に近接するようにして上段の高さ調整用部材３６Ａ上に載置し、前側座板構成板２３のねじ穴２８，２８ａを上段の高さ調整用部材３６Ａのボルト穴３９に合致させ、ねじ穴３１，３１ａをボルト穴４０に合致させる。そして、座板支承枠１３，１４の下側から、前記の長さＬ７よりも長い長さＬ８のボルト５１″，５１ａ″をボルト穴１８，１８ａ、２個の高さ調整用部材３６，３６Ａのボルト穴３９，３９に挿通し、そのボルト５１″，５１ａ″の先部を前側座板構成板２３のねじ穴２８，２８ａに螺着する。更に、長さＬ８のボルト５２″，５２ａ″をボルト穴２０，２０ａ及び２個の高さ調整用部材３６，３６Ａのボルト穴４０，４０に挿通し、そのボルト５２″，５２ａ″の先部を前側座板構成板２３のねじ穴３１，３１ａに螺着する。これにより、前側座板構成板２３が、２個の高さ調整用部材３６，３６Ａを介在して座板支承枠１３，１４上に固定されて付設される。
【００４６】
以上の組み付けにより、図１４に示すように、前記図１１の第２の形態に比べて、後脚４，５から座面Ｓの前端２３ａまでの長さＤ３が短く、かつ、座面Ｓの高さＨ４が、前記図１１の第２の形態の座面Ｓの高さＨ３に比べて、１個の高さ調整用部材３６Ａの高さＨ１分高くなり、また、図６に示す状態に比べて、２個の高さ調整用部材３６，３６Ａの高さ（Ｈ１×２）分だけ高くなる。
したがって、図１１の座面の高さより更に高い座面を必要とする小人用の椅子にできる。
【００４７】
また、この場合には、前記のように外した後側座板構成板２２を、図１３及び図１４に示すように、その両端を、左右の前脚７，８に形成した上段の係止溝１２，１２に嵌合し、後側座板構成板２２の両端に設けたねじ穴２４，２４と前脚７，８に形成した上段のボルト穴１０，１１を通じてボルト５０，５０ａにより取り付けて足乗せ台とする。これにより、座面Ｓを高くした分、高い位置に足乗せ台を設けることができる。
【００４８】
次に、前記図１乃至図８に示すように、前記高さ調整用部材３６，３６Ａを使用しない場合には、その４本の高さ調整用部材３６，３６Ａと使用しないボルトなどを、座板支承枠１３，１４間に形成された収納室１７内に収納する。この収納状態は、その収納室１７が座板で被覆されるため、外部からは見えず美観を損ねない。また、この収納室１７には他の物を収納しても良い。
【００４９】
なお、前記実施例では、後脚と背枠を１本の部材で兼用しているため、これを後脚４，５として説明したが、後脚と背枠を分離して別材で形成してもよい。
また、前記実施例では後側座板構成板２２を取り外して足乗せ台としたが、前記の後側座板構成板２２と前側座板構成板２３の前後方向の長さを、前記実施例とは逆にして前側座板構成板２３の幅を短くし、この前側座板構成板を取り外し可能にして足乗せ台に兼用してもよい。
【図面の簡単な説明】
【００５０】
【図１】本発明の実施例の椅子において、第１の形態を示す椅子の斜視図。
【図２】図１において座板を取り外した状態の斜視図。
【図３】図２における座板支承枠を示す平面図。
【図４】本発明の座板の平面図。
【図５】本発明の座板の裏面図。
【図６】図１の椅子の側面図。
【図７】図１の椅子の側断面図。
【図８】図７におけるＡ−Ａ線断面図。
【図９】本発明の椅子において後側座板構成板を足乗せ台とし、高さ調整用部材を介在した第２の形態を示す斜視図。
【図１０】図９における足乗せ台部の正断面図。
【図１１】図９における側面図。
【図１２】図１１における高さ調整用部材と座板支承枠との関係を示す斜視図。
【図１３】本発明の椅子において、高さ調整用部材を２個介在した第３の形態を示す斜視図。
【図１４】図１３の椅子の側面図。
【符号の説明】
【００５１】
４，５    後脚
７，８    前脚
１０，１１，１０ａ，１１ａ  取付手段
１３，１４    座板支承枠
１７    収納室
２１    座板
２２    後側座板構成板（足乗せ台）
２３    前側座板構成板
３６，３６Ａ    高さ調整用部材
【図１】
2005137488.tif 000003
【図２】
2005137488.tif 000004
【図３】
2005137488.tif 000005
【図４】
2005137488.tif 000006
【図５】
2005137488.tif 000007
【図６】
2005137488.tif 000008
【図７】
2005137488.tif 000009
【図８】
2005137488.tif 000010
【図９】
2005137488.tif 000011
【図１０】
2005137488.tif 000012
【図１１】
2005137488.tif 000013
【図１２】
2005137488.tif 000014
【図１３】
2005137488.tif 000015
【図１４】
2005137488.tif 000016